(57)【要約】【課題】簡単な操作でもって、指先等が収容した食品等の物品に直接触れることなく当該物品を取り出すことができるようにした包装用容器を提供する。【解決手段】ファーストフード店などにおいて提供されるハンバーガーなどの物品を収納するのに適した包装用容器１であって、容器部２と蓋部３がヒンジ部４を介して開閉自在となっており、容器部２とヒンジ部４と蓋部３にわたる開口４１が形成され、開口４１を覆うように透明フィルム５０が接着固定されていて、この接着固定は、購買者が包装用容器１の内部の物品を取り出す際の力で簡単に分離できるようになっていて、物品とフィルム５０を同時に包装用容器１から取り出すことができる。【選択図】図１
2012162311.tif 000002
【特許請求の範囲】
【請求項１】
容器部と蓋部とがヒンジ部を介して開放姿勢と閉鎖姿勢とを選択的に取りうるようにされている包装用容器であって、
前記包装用容器は、前記容器部とヒンジ部と蓋部とにわたる開口と該開口を覆うようにして包装用容器に固定されたシートを有しており、
前記シートの少なくとも一部は、前記包装用容器に収容された物品を前記開口を通して取り出す際に該物品と共に前記包装用容器から取り外されることを特徴とする包装用容器。
【請求項２】
前記容器部は底板とその周囲の側壁とからなる形状であり、前記蓋部は天板とその周囲の側壁とからなる形状であって、前記開口は前記容器部の前記ヒンジ部に接続する側壁と前記ヒンジ部と前記蓋部の前記ヒンジ部に接続する側壁とにわたるようにして形成されていることを特徴とする請求項１に記載の包装用容器。
【請求項３】
前記開口はさらに前記容器部の底板と前記蓋部の天板にもわたるようにして形成されていることを特徴とする請求項２に記載の包装用容器。
【請求項４】
前記ヒンジ部の開口とされていない部分にはミシン目が設けられていることを特徴とする請求項１〜３のいずれかに記載の包装用容器。
【請求項５】
前記ヒンジ部の開口とされていない部分、並びに前記容器部の底板と前記ヒンジ部に接続する側壁の接続部における開口とされていない部分および前記蓋部の天板と前記ヒンジ部に接続する側壁の接続部における開口とされていない部分の双方またはいずれか一方にはミシン目が設けられていることを特徴とする請求項３に記載の包装用容器。
【請求項６】
前記容器部の底板と前記ヒンジ部に接続する側壁の接続部における開口とされている部分および前記蓋部の天板と前記ヒンジ部に接続する側壁の接続部における開口とされている部分の双方またはいずれか一方には橋梁部が設けられていることを特徴とする請求項３に記載の包装用容器。
【請求項７】
前記容器部の底板と前記ヒンジ部に接続する側壁の接続部における開口とされている部分に設けられた前記橋梁部は、前記底板に形成された開口を覆うカバーを有し、前記蓋部の天板と前記ヒンジ部に接続する側壁の接続部における開口とされている部分に設けられた前記橋梁部は、前記天板に形成された開口を覆うカバーを有していることを特徴とする請求項６に記載の包装用容器。
【請求項８】
前記シートは、樹脂製、紙製、または金属製であることを特徴とする請求項１〜７のいずれかに記載の包装用容器。
【請求項９】
前記シートは透明であることを特徴とする請求項１〜８のいずれかに記載の包装用容器。
【発明の詳細な説明】
【技術分野】
【０００１】
本発明は包装用容器に関し、特に、ファーストフード店などにおいて提供されるハンバーガーなどの物品を収納するのに適した包装用容器に関する。
【背景技術】
【０００２】
ファーストフード店などでハンバーガーなどの食品を提供する包装用容器として、蓋部と容器部がヒンジ部を介して開閉自在とされた箱型の包装用容器（クラムシェル型容器）が知られている。その一例として、特許文献１（特開２００３−７２７４９号公報）には、収容したハンバーガーを箱から取り出さずに食べることができるように、蓋部と容器部のヒンジ部とは反対側の先端側が外側に反転可能となっている。すなわち、図５に示すように、特許文献１に開示される包装用容器Ａは、容器部Ｂと蓋部Ｃとがヒンジ部Ｄを介して開放姿勢と閉鎖姿勢とを選択的に取りうるようにされるとともに、容器部Ｂと蓋部Ｃに更なるヒンジ部Ｂ３，Ｃ３が設けられていて、ハンバーガーを食べる際には、このヒンジ部Ｂ３，Ｃ３を利用して、容器部Ｂの先端側Ｂ１と蓋部Ｃの先端側Ｃ１をそれぞれのヒンジ側Ｂ２，Ｃ２に対し外側に反転させ、収容したハンバーガーを露出させる。このように容器部Ｂと蓋部Ｃの先端側Ｂ１，Ｃ１のみを反転させることにより、開放した部分から収容したハンバーガーを露出させて、包装用容器Ａを手で持った状態でハンバーガーを食べることができる。
【０００３】
特許文献２（特開２００５−３０６４８０号公報）には、他のクラムシェル型箱形包装用容器が示されており、そこでは、収容した食品を容易にラッピングできる包装シートを容器本体内に収容しておき、食品を食べるときは、容器本体を開いた姿勢とした後、包装シートに包み込んだ状態で食品を容器本体から取り出すようにしている。
【０００４】
特許文献３（特開２００７−２０４０５０号公報）には、さらに他のクラムシェル型箱形包装用容器が示されており、そこでは、収容した食品を載せることができる内容器を容器部内に収容しておき、食品を食べるときは、容器本体を開いた姿勢とした後、容器部を手に持った姿勢で、指先を容器部に形成した穴に差し入れて、そこに載っている食品と共に、少なくとも内容器の一部を容器部から押し出すようにしている。
【先行技術文献】
【特許文献】
【０００５】
【特許文献１】特開２００３−７２７４９号公報
【特許文献２】特開２００５−３０６４８０号公報
【特許文献３】特開２００７−２０４０５０号公報
【発明の開示】
【発明が解決しようとする課題】
【０００６】
上記した包装用容器は、蓋部と容器部がヒンジ部を介して開閉自在とされた包装用容器内に収容した食品を食べやすくする点で大きなメリットを有するが、特許文献１に記載の包装用容器は、容器の一部を開いた状態として食べるようにしており、やや食べづらさが残る。また、特許文献２に記載の包装用容器は、容器本体を開いた姿勢とした後、包装シートで食品をラッピングするというやや煩雑な作業を必要とする。さらに、特許文献３に記載の包装用容器は、簡単な操作でもって収容した食品を取り出すことができるものの、その食品を食べる際に指先が食品に触れるのを完全に回避するのは困難である。
【０００７】
本発明は、上記した形態の包装用容器であって、簡単な操作でもって、かつ指先等が収容した食品等の物品に直接触れることなく当該物品を取り出すことができるようにした、さらに改良された包装用容器を提供することを目的とする。
【課題を解決するための手段】
【０００８】
前記目的を達成すべく、本発明の包装用容器は、容器部と蓋部とがヒンジ部を介して開放姿勢と閉鎖姿勢とを選択的に取りうるようにされている包装用容器であって、前記包装用容器は、前記容器部とヒンジ部と蓋部とにわたる開口と該開口を覆うようにして包装用容器に固定されたシートを有しており、前記シートの少なくとも一部は、前記包装用容器に収容された物品を前記開口を通して取り出す際に該物品と共に前記包装用容器から取り外されることを特徴とする。
【０００９】
上記の包装用容器は、容器部とヒンジ部と蓋部とにわたる開口とこの開口を覆うようにして包装用容器に固定されたシートを有しており、このシートの少なくとも一部は、包装用容器から物品を取り出す際の所定の力で容器から取り外すことができる。すなわち、食品等の物品の購買者はシートを介して物品を保持しながら、シートの少なくとも一部と物品とを同時に容器から取り出すことができる。
【００１０】
上記のように、本発明の包装用容器では、シートを介して包装用容器内の物品を掴んだ状態で包装用容器から当該物品を取り出すことができるため、指先等が収容した物品に直接触れることがなく、物品が食品等の場合でも手を汚すことがない。また、物品を内部に収容した閉鎖姿勢のまま上記操作を行うことができるため、包装用容器を開放する操作が不要となり、物品を取り出す操作が容易である。
【００１１】
本発明による包装用容器の好ましい態様では、前記容器部は底板とその周囲の側壁とからなる形状であり、前記蓋部は天板とその周囲の側壁とからなる形状であって、前記開口は前記容器部の前記ヒンジ部に接続する側壁と前記ヒンジ部と前記蓋部の前記ヒンジ部に接続する側壁とにわたるようにして形成されていることを特徴とする。
【００１２】
本発明による包装用容器の別の好ましい態様では、前記開口はさらに前記容器部の底板と前記蓋部の天板にもわたるようにして形成されていることを特徴とする。この態様では、例えば包装用容器の内部に収容された物品が天地方向に複数の食材が積層されたハンバーガー等である場合に、その物品の天地方向からシートを介して物品を保持することができるようになるので、包装用容器内に収容した物品を確実に保持しながら、包装用容器から当該物品を取り出すことができる。
【００１３】
また、本発明による包装用容器の好ましい態様では、前記ヒンジ部の開口とされていない部分にはミシン目が設けられていることを特徴とする。包装用容器の剛性を保持するために、その包装用容器に形成される開口はできる限り小さいことが好ましい。しかしながら、開口が小さくなると、その開口を通して物品を取り出すことができなくなってしまう。そこで、ヒンジ部の開口とされていない部分にミシン目を設け、物品を取り出す際にはそのミシン目が破断して開口が広がる構成とすることで、物品収容時（閉鎖姿勢）での包装用容器の剛性の低下を抑制することができる。また、前記ヒンジ部の開口とされていない部分、並びに前記容器部の底板と前記ヒンジ部に接続する側壁の接続部における開口とされていない部分および前記蓋部の天板と前記ヒンジ部に接続する側壁の接続部における開口とされていない部分の双方またはいずれか一方にはミシン目が設けられている構成とすることで、物品を取り出す際の抵抗をより小さくすることができる。なお、そのミシン目が前記開口と繋がっていることで、そのミシン目の破断開始点を規定できると共に破断強度を小さくすることができ、より簡単に物品を包装用容器から取り出すことができる。
【００１４】
また、本発明による包装用容器の好ましい態様では、前記容器部の底板と前記ヒンジ部に接続する側壁の接続部における開口とされている部分および前記蓋部の天板と前記ヒンジ部に接続する側壁の接続部における開口とされている部分の双方またはいずれか一方には橋梁部が設けられていることを特徴とする。この態様では、容器部の底板とヒンジ部に接続する側壁の間や蓋部の天板とヒンジ部に接続する側壁の間に剛性部材としての橋梁部を設けることで、開口による包装用容器の剛性の低下を抑制することができる。
【００１５】
さらに、前記容器部の底板と前記ヒンジ部に接続する側壁の接続部における開口とされている部分に設けられた前記橋梁部は、前記底板に形成された開口を覆うカバーを有し、前記蓋部の天板と前記ヒンジ部に接続する側壁の接続部における開口とされている部分に設けられた前記橋梁部は、前記天板に形成された開口を覆うカバーを有していることが好ましい。この態様では、例えばシートが光を透過する部材である場合に、店舗の店員や購買者が必要に応じて前記開口をカバーで覆うことで、包装用容器の内部に収容した物品の劣化を抑制することができる。
【００１６】
ここで、前記シートは、食品を保持する際に特に大きな抵抗がなければ、樹脂製、紙製、または金属製のいずれであってもよい。樹脂性シートとしては、例えば合成樹脂からなるフィルムを挙げることができる。また、金属製シートとしては、例えばアルミニウム箔を挙げることができる。さらに、紙製シートの場合には、３０〜１００ｇ／ｍ２程度であるのが好ましい。なお、それらのシートの少なくとも物品側に水分や油分を遮断するコーティングがされていれば、包装用容器内の物品がハンバーガー等の食品である場合に、より効果的に購買者の指先の汚れを抑制することができる。また、必要に応じてフィルムや紙、箔等を組み合わせてシートを構成することもできる。
【００１７】
また、前記シートは透明であることが好ましい。この態様では、包装用容器の閉鎖姿勢においても、包装用容器の内部に収容された物品の種類等を確認することができる。また、包装用容器から物品を取り出す際にも、包装用容器内の物品の位置を閉鎖姿勢で予め確認することができ、シートを介して物品の所望の位置を確実に保持しながら当該物品を包装用容器から取り出すことができる。
【発明の効果】
【００１８】
以上の説明から理解できるように、本発明の包装用容器によれば、簡単な操作でもって、指先等が収容した食品等の物品に直接触れることなく当該物品を取り出すことのできる包装用容器が得られる。
【図面の簡単な説明】
【００１９】
【図１】本発明による包装用容器の一実施の形態を示す図であって、（ａ）はその開放姿勢を示す斜視図、（ｂ）は閉鎖姿勢を示す斜視図。
【図２】本発明による包装用容器の他の実施の形態を示す図であって、（ａ）はその開放姿勢を示す斜視図、（ｂ）は閉鎖姿勢を示す斜視図。
【図３】図１に示す包装用容器の展開図。
【図４】図１に示す包装用容器から食品を取り出す方法を説明する図であって、（ａ）は閉鎖姿勢でシートを介して食品を保持した状態を示した斜視図、（ｂ）は包装用容器から食品を取り出した状態を示した斜視図。
【図５】従来の包装用容器を示す図。
【発明を実施するための形態】
【００２０】
以下、図面を参照しながら、本発明の実施の形態に基づき説明する。図１は本発明による包装用容器の一実施の形態を示している。図２は本発明による包装用容器の他の実施の形態を示している。図３は図１に示す包装用容器の展開図を示している。図４は図１に示す包装用容器から食品を取り出す方法を説明したものである。
【００２１】
図１（ａ）に示すように、包装用容器１は、紙を素材とする全体として箱形の容器（クラムシェル型箱形容器）であって、容器部２と蓋部３とがヒンジ部４を介して開閉自在となっており、閉鎖姿勢にあるときには、蓋部３に形成した突片５，５と容器部２に形成した係止片６，６とが係合して、蓋部３が容器部２から自由に開放するのを阻止するようになっている。
【００２２】
容器部２は、底板２１と、その４周に位置する前壁２２、左右の側壁２３，２４および後壁２５で構成され、蓋部３は、天板３１と、その４周に位置する前壁３２、左右の側壁３３，３４および後壁３５で構成される。容器部２の後壁２５と蓋部の後壁３５は上端で連接しており、その接続部が前記ヒンジ部４として機能する。
【００２３】
包装用容器１には、容器部２とヒンジ部４と蓋部３にわたる開口４１が形成されている。図１（ａ）に示す例では、開口４１は底板２１、後壁２５、後壁３５、及び天板３１にわたるようにして形成されているが、後記するように、容器部２内に収容した食品Ｆ等の物品（図４参照）を取り出すことができれば、開口４１の位置や大きさは任意である。また、人の指で包装用容器１の食品を掴むことができれば、開口４１を２個以上に分離して形成してもよい。開口４１を底板２１および天板３１にまでわたるように形成して、人の指先で包装用容器１の食品を天地方向から掴むことができる大きさとすることは好ましい。
【００２４】
包装用容器１の内部（内面）には、開口４１を覆うように包装用容器内側に例えば樹脂製シートである透明フィルム５０が接着固定される。この例では、フィルム５０は、底板２１と左右の側壁２３，２４の接続部２６，２７、及び天板３１と左右の側壁３３，３４の接続部３６，３７に沿うように配置されることで包装用容器１に対してその位置が規定され、包装用容器１と少なくとも１箇所で接着固定されている。接着は、購買者が包装用容器１の内部の食品を取り出す際の所定の力で簡単に分離できる程度の強さであることが好ましく、それにより、フィルム５０を、特に大きな抵抗なく食品Ｆと共に包装用容器１から取り外すことができる。
【００２５】
なお、フィルム５０は開口４１を覆うことができれば任意の形状であってよく、包装用容器１に対する固定位置も任意である。図１（ａ）に示す例では、包装用容器１の内部にフィルム５０を接着固定しているが、例えば包装用容器１の外側にフィルム５０を固定してもよい。また、フィルム５０の包装用容器１に対する固定手段は、包装用容器１から食品を取り出すと同時に包装用容器１からフィルム５０を取り外すことができれば任意である。さらに、フィルム５０に例えばミシン目等の破断部（不図示）を設けておき、包装用容器１から食品を取り出す際に前記固定手段はそのままで、破断部が破断してフィルム５０の一部のみが食品と共に包装用容器１から取り外される形態でもよい。
【００２６】
図１（ａ）に示す開放姿勢の包装用容器１の蓋部３をヒンジ部４を利用して回動させて容器部２と重ね合わせ、上記するように蓋部３に形成した突片５，５を容器部２に形成した係止片６，６に係合させることで、図１（ｂ）に示す閉鎖姿勢の包装用容器１となる。
【００２７】
図２は、本発明による包装用容器の他の実施の形態を示したものであり、図１と同様の構成について同じ符号を付して説明する。また、図１と同様の構成についてはその説明を省略する。
【００２８】
図２（ａ）に示す包装用容器１は、図１に示した包装用容器に対し、底板２１と後壁２５，２５の接続部の開口とされている部分、すなわち接続部２８，２８を結ぶ部分に補強材としての橋梁部６０を備えている点で相違する。橋梁部６０は、その一側部６２に包装用容器１と同じ材料で作られたカバー６１を備えている。さらに、橋梁部６０と底板２１の接続部６３や橋梁部６０と後壁２５の接続部６４にはミシン目が設けられていて、購買者が食品を包装用容器１から取り出す際にそのミシン目が破断し、食品と共に橋梁部６０やカバー６１が包装用容器１から取り外される。この開放姿勢の包装用容器１に食品を収容し、蓋部３に形成した突片５，５と容器部２に形成した係止片６，６とを係合させることで、図２（ｂ）に示す閉鎖姿勢の包装用容器１となる。
【００２９】
図２（ｂ）に示すように、上記容器部２の橋梁部６０と同様の構成が蓋部３にも設けられている。すなわち、天板３１と後壁３５，３５の接続部３８，３８を結ぶ部分に橋梁部７０が設けられ、橋梁部７０はその一側部７２にカバー７１を備えている。カバー７１は、その一側部７２をヒンジとして利用して矢印Ｘ１方向に回動でき、天板３１の開口４１Ａを開閉できるようになっている。
【００３０】
図１および図２に示した包装用容器１は任意の方法で作ることができる。一例として、図３に示すように、包装用容器１を形成するブランクスを厚紙等から打ち抜き、それを製函機で製函することで作ることができる。この場合には、ブランクスを抜く際に、包装用容器１の内部に収容する食品Ｆの一部と開口４１の一部がラップする（図中、領域Ｒ）ように、予め開口４１の大きさや位置を設定する。これにより、ブランクスから包装用容器１を製函した際に購買者が包装用容器１の外部から食品Ｆの種類等を容易に確認できると共に、食品Ｆを包装用容器１から取り出す際にもその食品Ｆを確実に掴むことができる。なお、図３に示すブランクスには、図１に示した包装用容器１の各部分に対応する部分と同じ符号を付している。
【００３１】
また、図２に示す包装用容器１の橋梁部６０，７０やカバー６１，７１の材料は、収容する食品等の物品に有害でないことを条件に任意のものを用いることができる。しかしながら、包装用容器１の廃棄処理の容易性の観点から、包装用容器１の材料と同じ材料で作ることが望ましい。そこで、橋梁部６０，７０やカバー６１，７１は、包装用容器１を形成するブランクスを厚紙等から打ち抜く際に包装用容器１と一体に形成することが望ましい。
【００３２】
次に、図４を参照しながら、購買者が閉鎖姿勢の包装用容器１から食品Ｆを取り出す方法について説明する。
【００３３】
購買者は、例えば一方の手（不図示）で包装用容器１を保持しながら、開口４１を覆うように貼られた透明フィルム５０を介して包装用容器１の内部に収容された食品Ｆ（例えば、ハンバーガー）の種類や位置等を確認する。これらの操作は閉鎖姿勢のまま行うことができ、包装用容器１を開放姿勢とする必要はない。このように例えば一方の手で包装用容器１を持った姿勢で、包装用容器１の底板２１や天板３１に形成した開口４１の天地方向から、指Ｐでフィルム５０を介して食品Ｆを掴む。その状態が図４（ａ）に示されている。次いで、指先Ｐで食品Ｆを保持しながら、包装用容器１から引き抜き方向（矢印Ｘ２方向）に力を掛けて、フィルム５０の接着を分離させる。それにより、フィルム５０を介して食品Ｆを保持したままで、食品Ｆを包装用容器１から取り出すことができる。この状態が図４（ｂ）に示されている。
【００３４】
図４に示す例では、開口４１の横方向（ヒンジ部４の回転軸方向）の寸法は、包装用容器１の内部に収容された食品Ｆの横幅よりも小さい。この場合、包装用容器１の剛性を維持できるものの、容器部２の後壁２５や蓋部３の後壁３５が包装用容器１からの食品Ｆの取り出しを阻害してしまう。そこで、底板２１と後壁２５の接続部２８や天板３１と後壁３５の接続部３８、さらには後壁２５と後壁３５の接続部４２（ヒンジ部４の開口とされていない部分）に予めミシン目を設け、図４（ｂ）に示すように食品Ｆの取り出しの際に破断するようにしておく。なお、前記ミシン目は、包装用容器１の剛性を確保できれば、後壁２５と左右の側壁２３，２４の接続部や後壁３５と左右の側壁３３，３４の接続部に設けてもよい。
【００３５】
なお、図２に示すように包装用容器１に橋梁部６０，７０が備えられている場合には、既述するように橋梁部６０と底板２１の接続部６３や橋梁部６０と後壁２５の接続部６４、および橋梁部７０と天板３１の接続部７３や橋梁部７０と後壁３５の接続部７４にミシン目が設けられていて、食品Ｆを包装用容器１から取り出す際にそのミシン目が破断し、食品Ｆ等と共に橋梁部６０，７０やカバー６１，７１が包装用容器１から取り外される。
【００３６】
このように閉鎖姿勢から食品Ｆを取り出すことができるため、包装用容器１からの食品Ｆの取り出しはきわめて容易となる。また、食品Ｆをフィルム５０を介して保持しながら包装用容器１から取り出し、そのままフィルム５０に包まれた食品Ｆを食べることができ、指先等が収容した食品Ｆに直接触れることがないため、殆ど手を汚すことなく食品Ｆを食べることができる。さらに、食べるのを途中で中断する場合には、フィルム５０を下敷きにして所望の場所に食品Ｆを置くことができる。
【符号の説明】
【００３７】
１…包装用容器、２…容器部、３…蓋部、４…ヒンジ部、４１…開口、５０…透明フィルム（シート）、６０，７０…橋梁部、Ｆ…食品、Ｐ…指先
【図１】
2012162311.tif 000003
【図２】
2012162311.tif 000004
【図３】
2012162311.tif 000005
【図４】
2012162311.tif 000006
【図５】
2012162311.tif 000007